(57)【要約】【課題】複数の映像表示装置を備え、クロストークの発生を低減する映像投写システムを提供する。【解決手段】映像表示システム１は、第１の映像表示装置（プロジェクター１００）、第２の映像表示装置（プロジェクター２００）と、シャッターメガネ（液晶シャッターメガネ４００）とを備える。第１の映像表示装置は、左眼用の画像と右眼用の画像との切り替えに同期するための同期用制御信号を生成して送信する。第２の映像表示装置は、受信した同期用制御信号に基づいて、供給される映像情報の左眼用の画像と右眼用の画像との表示の切り替えを、第１の映像表示装置と同期させる。シャッターメガネは、受信した同期用制御信号に基づいて、左眼用のシャッターおよび右眼用のシャッターの開閉を駆動する。【選択図】図１
2013012877.tif 000002
【特許請求の範囲】
【請求項１】
映像供給装置から供給される映像情報に基づいて、左眼用の画像と右眼用の画像とを時分割で表示する第１の映像表示装置及び第２の映像表示装置と、左眼用のシャッターと右眼用のシャッターとを交互に開放させるシャッターメガネとを備えた映像表示システムであって、
前記第１の映像表示装置は、
前記左眼用の画像と右眼用の画像との切り替えに同期するための同期用制御信号を生成する同期信号生成部と、
前記同期用制御信号を送信する同期信号送信部と、
を有し、
前記第２の映像表示装置は、
前記同期用制御信号を受信する第１信号受信部と、
前記第１信号受信部が受信した前記同期用制御信号に基づいて、供給される前記映像情報の前記左眼用の画像と右眼用の画像との表示の切り替えを、前記第１の映像表示装置と同期させる映像同期部と、
を有し、
前記シャッターメガネは、
前記同期用制御信号を受信する第２信号受信部と、
前記第２信号受信部が受信した前記同期用制御信号に基づいて、前記左眼用のシャッターおよび前記右眼用のシャッターの開閉を駆動するシャッター駆動部と、
を有することを特徴とする映像表示システム。
【請求項２】
請求項１に記載の映像表示システムであって、
前記第１の映像表示装置及び前記第２の映像表示装置を含む複数の映像表示装置を有し、
前記複数の映像表示装置のそれぞれは、
前記同期信号生成部と、
前記同期信号送信部と、
前記第１信号受信部と、
前記映像同期部と、
前記第１の映像表示装置として動作するマスター状態、前記第２の映像表示装置として動作するスレーブ状態、および通常状態のいずれかに切り替える状態切替部と、
所定の操作を受け付ける操作受付部と、
他の映像表示装置を前記スレーブ状態に切り替えさせるためのスレーブ切替信号を送信するスレーブ切替信号送信部と、
前記スレーブ切替信号を受信する第３信号受信部と、
前記操作受付部が前記所定の操作を受け付けると、前記状態切替部に前記マスター状態に切り替えさせて、前記スレーブ切替信号送信部に前記スレーブ切替信号を送信させ、前記第３信号受信部が前記スレーブ切替信号を受信すると、前記状態切替部に前記スレーブ状態に切り替えさせる制御部と、
を有することを特徴とする映像表示システム。
【請求項３】
請求項２に記載の映像表示システムであって、
前記映像表示装置が前記スレーブ状態に切り替えられている際には、前記制御部は、前記所定の操作がなされても、前記状態切替部に前記マスター状態に切り替えさせないことを特徴とする映像表示システム。
【請求項４】
請求項２または３に記載の映像表示システムであって、
前記映像表示装置は、リモコン装置によって遠隔操作を行うためのリモコン信号受信部をさらに有し、
前記第１信号受信部および前記第３信号受信部の少なくとも一方は、前記リモコン信号受信部と兼用することを特徴とする映像表示システム。
【請求項５】
請求項４に記載の映像表示システムであって、
前記リモコン信号受信部は、赤外線を利用して通信することを特徴とする映像表示システム。
【請求項６】
請求項１乃至５のいずれか一項に記載の映像表示システムであって、
前記映像表示装置は、プロジェクターであることを特徴とする映像表示システム。
【請求項７】
映像供給装置から供給される映像情報に基づいて、左眼用の画像と右眼用の画像とを時分割で表示する第１の映像表示装置及び第２の映像表示装置と、左眼用のシャッターと右眼用のシャッターとを交互に開放させるシャッターメガネとを備えた映像表示システムの制御方法であって、
前記第１の映像表示装置において、前記左眼用の画像と右眼用の画像との切り替えに同期するための同期用制御信号を生成する信号生成ステップと、
前記第１の映像表示装置において、前記同期用制御信号を送信する信号送信ステップと、
前記第２の映像表示装置において、前記同期用制御信号を受信する第１信号受信ステップと、
前記第２の映像表示装置において、前記第１信号受信ステップによって受信された前記同期用制御信号に基づいて、供給される前記映像情報の前記左眼用の画像と右眼用の画像との表示の切り替えを、前記第１の映像表示装置と同期させる映像同期ステップと、
前記シャッターメガネにおいて、前記同期用制御信号を受信する第２信号受信ステップと、
前記シャッターメガネにおいて、前記第２信号受信ステップによって受信された前記同期用制御信号に基づいて、前記左眼用のシャッターおよび前記右眼用のシャッターの開閉を駆動するシャッター駆動ステップと、
を有することを特徴とする映像表示システムの制御方法。
【請求項８】
映像供給装置から供給される映像情報に基づいて、左眼用の画像と右眼用の画像とを時分割で表示する映像表示装置であって、
第１の映像表示装置として動作するマスター状態、第２の映像表示装置として動作するスレーブ状態、および通常状態のいずれかに切り替える状態切替部と、
所定の操作を受け付ける操作受付部と、
他の映像表示装置を前記スレーブ状態に切り替えさせるためのスレーブ切替信号を送信するスレーブ切替信号送信部と、
前記スレーブ切替信号を受信する第３信号受信部と、
前記操作受付部が前記所定の操作を受け付けると、前記状態切替部に前記マスター状態に切り替えさせて、前記スレーブ切替信号送信部に前記スレーブ切替信号を送信させ、前記第３信号受信部が前記スレーブ切替信号を受信すると、前記状態切替部に前記スレーブ状態に切り替えさせる制御部と、
前記左眼用の画像と右眼用の画像との切り替えに同期するための同期用制御信号を生成する同期信号生成部と、
前記マスター状態の場合に前記同期用制御信号を送信する同期信号送信部と、
前記スレーブ状態の場合に前記同期用制御信号を受信する第１信号受信部と、
前記第１信号受信部が受信した前記同期用制御信号に基づいて、供給される前記映像情報の前記左眼用の画像と右眼用の画像との表示の切り替えを、前記第１の映像表示装置と同期させる映像同期部と、
を有することを特徴とする映像表示装置。
【請求項９】
映像供給装置から供給される映像情報に基づいて、左眼用の画像と右眼用の画像とを時分割で表示する映像表示装置であって、
前記左眼用の画像と右眼用の画像との切り替えに同期するための同期用制御信号を生成する同期信号生成部と、
前記同期用制御信号を、当該映像表示装置以外の映像表示装置に送信する同期信号送信部と、
を有することを特徴とする映像表示装置。
【請求項１０】
映像供給装置から供給される映像情報に基づいて、左眼用の画像と右眼用の画像とを時分割で表示する映像表示装置であって、
前記左眼用の画像と右眼用の画像との切り替えに同期するための同期用制御信号を、当該映像表示装置以外の映像表示装置から受信する信号受信部と、
前記信号受信部が受信した前記同期用制御信号に基づいて、供給される前記映像情報の前記左眼用の画像と右眼用の画像との表示の切り替えを行う映像同期部と、
を有することを特徴とする映像表示装置。
【発明の詳細な説明】
【技術分野】
【０００１】
本発明は、映像表示システム、映像表示システムの制御方法、および映像表示装置に関する。
【背景技術】
【０００２】
従来、時分割方式の３Ｄ（３次元）プロジェクターが提案されていた。このような時分割方式の３Ｄプロジェクターでは、右眼用の画像及び左眼用の画像を時分割して交互に投写する。そして、投写される左眼用画像と右眼用画像とに同期してそれぞれ左眼用液晶シャッター及び右眼用液晶シャッターの開閉を交互に切り替えるシャッターメガネを有している。ユーザーは投写された画像（映像）をシャッターメガネを介して見ることにより、３Ｄ映像を見ることができる。
【０００３】
また、高輝度化や大画面化するためにプロジェクターを複数使用する態様が知られている。例えば、複数のプロジェクターを用いて曲面スクリーンに映像を表示する仮想空間生成システムが開示されている（特許文献１）。この仮想空間生成システムでは、右目用映像を投写するプロジェクターと、左目用映像を投写するプロジェクターと、右目用映像と左目用映像とを交互に遮断するシャッターと、前記シャッターに同期して、右目用映像は右目用レンズのみを通過させ、左目用映像は左目用レンズのみを通過させるメガネを有している。
【先行技術文献】
【特許文献】
【０００４】
【特許文献１】特表２００６−５１６３３３号公報
【発明の概要】
【発明が解決しようとする課題】
【０００５】
しかしながら、複数のプロジェクターを用いた３Ｄ映像投写システムでは、複数のプロジェクターの出力映像の同期がとれず、クロストークが発生してしまう場合があった。例えば、映像出力装置からの出力信号の同期がずれてしまう場合や、プロジェクターの内部処理によって、投写する映像の同期がずれてしまう場合があり、このような場合には、複数のプロジェクターと、時分割シャッター方式メガネとの同期がとれなくなり、クロストークが発生してしまうことがあった。
【課題を解決するための手段】
【０００６】
本発明は、上述の課題の少なくとも一部を解決するためになされたものであり、以下の形態または適用例として実現することが可能である。
【０００７】
［適用例１］本適用例に係る映像表示システムは、映像供給装置から供給される映像情報に基づいて、左眼用の画像と右眼用の画像とを時分割で表示する第１の映像表示装置及び第２の映像表示装置と、左眼用のシャッターと右眼用のシャッターとを交互に開放させるシャッターメガネとを備えた映像表示システムであって、前記第１の映像表示装置は、前記左眼用の画像と右眼用の画像との切り替えに同期するための同期用制御信号を生成する同期信号生成部と、前記同期用制御信号を送信する同期信号送信部と、を有し、前記第２の映像表示装置は、前記同期用制御信号を受信する第１信号受信部と、前記第１信号受信部が受信した前記同期用制御信号に基づいて、供給される前記映像情報の前記左眼用の画像と右眼用の画像との表示の切り替えを、前記第１の映像表示装置と同期させる映像同期部と、を有し、前記シャッターメガネは、前記同期用制御信号を受信する第２信号受信部と、前記第２信号受信部が受信した前記同期用制御信号に基づいて、前記左眼用のシャッターおよび前記右眼用のシャッターの開閉を駆動するシャッター駆動部と、を有することを特徴とする。
【０００８】
このような映像表示システムによれば、第１の映像表示装置と第２の映像表示装置とシャッターメガネとを備えている。第１の映像表示装置は、同期信号生成部と同期信号送信部とを有している。同期信号生成部は、左眼用の画像と右眼用の画像との切り替えに同期するための同期用制御信号を生成する。同期信号送信部は、同期用制御信号を送信する。第２の映像表示装置は、第１信号受信部と映像同期部とを有している。第１信号受信部は、同期用制御信号を受信する。映像同期部は、同期用制御信号に応じて、供給される映像情報の左眼用の画像と右眼用の画像との表示の切り替えを、第１の映像表示装置と同期させる。シャッターメガネは、第２信号受信部とシャッター駆動部とを有している。第２信号受信部は、同期用制御信号を受信する。シャッター駆動部は、同期用制御信号に基づいて、左眼用のシャッターおよび右眼用のシャッターの開閉を駆動する。これにより、第１の映像表示装置の出力映像と第２の映像表示装置の出力映像との同期をとることが可能になる。さらに、シャッターメガネとの同期をとることができ、クロストークの発生を低減することができる。
【０００９】
［適用例２］上記適用例に係る映像表示システムにおいて、前記第１の映像表示装置及び前記第２の映像表示装置を含む複数の映像表示装置を有し、前記複数の映像表示装置のそれぞれは、前記同期信号生成部と、前記同期信号送信部と、前記第１信号受信部と、前記映像同期部と、前記第１の映像表示装置として動作するマスター状態、前記第２の映像表示装置として動作するスレーブ状態、および通常状態のいずれかに切り替える状態切替部と、所定の操作を受け付ける操作受付部と、他の映像表示装置を前記スレーブ状態に切り替えさせるためのスレーブ切替信号を送信するスレーブ切替信号送信部と、前記スレーブ切替信号を受信する第３信号受信部と、前記操作受付部が前記所定の操作を受け付けると、前記状態切替部に前記マスター状態に切り替えさせて、前記スレーブ切替信号送信部に前記スレーブ切替信号を送信させ、前記第３信号受信部が前記スレーブ切替信号を受信すると、前記状態切替部に前記スレーブ状態に切り替えさせる制御部と、を有することを特徴とする
【００１０】
このような映像表示システムによれば、複数の映像表示装置はそれぞれ、同期信号生成部と、同期信号送信部と、第１信号受信部と、映像同期部と、状態切替部と、操作受付部と、スレーブ切替信号送信部と、第３信号受信部と、制御部とを有する。状態切替部は、第１の映像表示装置として動作するマスター状態、第２の映像表示装置として動作するスレーブ状態、および通常状態のいずれかに切り替える。スレーブ切替信号送信部は、スレーブ切替信号を送信する。制御部は、所定の操作を受け付けると、状態切替部にマスター状態に切り替えさせてスレーブ切替信号を送信する。また、制御部は、第３信号受信部がスレーブ切替信号を受信すると、状態切替部にスレーブ状態に切り替えさせる。これにより、映像表示装置は、マスター状態にもスレーブ状態にもなることができる。また、１つの映像表示装置がマスター状態に指定された場合には、他の映像表示装置をスレーブ状態にすることができるので、利便性が高い。
【００１１】
［適用例３］上記適用例に係る映像表示システムにおいて、前記映像表示装置が前記スレーブ状態に切り替えられている際には、前記制御部は、前記所定の操作がなされても、前記状態切替部に前記マスター状態に切り替えさせないことを特徴とする。
【００１２】
このような映像表示システムによれば、映像表示装置がスレーブ状態に切り替えられている場合には、所定の操作がなされてもマスター状態に切り替わらない。これにより、複数の映像表示装置がマスター状態になってしまうことを避けることができる。よって、クロストークの発生を低減することができる。
【００１３】
［適用例４］上記適用例に係る映像表示システムにおいて、前記映像表示装置は、リモコン装置によって遠隔操作を行うためのリモコン信号受信部をさらに有し、前記第１信号受信部および前記第３信号受信部の少なくとも一方は、前記リモコン信号受信部と兼用することを特徴とする。
【００１４】
このような映像表示システムによれば、第１信号受信部および第３信号受信部の少なくとも一方は、リモコン信号受信部と兼用されている。これにより、映像表示装置の構成を簡易化することができる。
【００１５】
［適用例５］上記適用例に係る映像表示システムにおいて、前記リモコン信号受信部は、赤外線を利用して通信することを特徴とする。
【００１６】
このような映像表示システムによれば、リモコン信号として一般的に使用されている赤外線によって通信を行うため、簡易なシステムにすることができる。
【００１７】
［適用例６］上記適用例に係る映像表示システムにおいて、前記映像表示装置は、プロジェクターであることを特徴とする。
【００１８】
このような映像表示システムによれば、複数のプロジェクターをスタック投写する際に、クロストークの発生を低減することができる。
【００１９】
［適用例７］本適用例に係る映像表示システムの制御方法は、映像供給装置から供給される映像情報に基づいて、左眼用の画像と右眼用の画像とを時分割で表示する第１の映像表示装置及び第２の映像表示装置と、左眼用のシャッターと右眼用のシャッターとを交互に開放させるシャッターメガネとを備えた映像表示システムの制御方法であって、前記第１の映像表示装置において、前記左眼用の画像と右眼用の画像との切り替えに同期するための同期用制御信号を生成する信号生成ステップと、前記第１の映像表示装置において、前記同期用制御信号を送信する信号送信ステップと、前記第２の映像表示装置において、前記同期用制御信号を受信する第１信号受信ステップと、前記第２の映像表示装置において、前記第１信号受信ステップによって受信された前記同期用制御信号に基づいて、供給される前記映像情報の前記左眼用の画像と右眼用の画像との表示の切り替えを、前記第１の映像表示装置と同期させる映像同期ステップと、前記シャッターメガネにおいて、前記同期用制御信号を受信する第２信号受信ステップと、前記シャッターメガネにおいて、前記第２信号受信ステップによって受信された前記同期用制御信号に基づいて、前記左眼用のシャッターおよび前記右眼用のシャッターの開閉を駆動するシャッター駆動ステップと、を有することを特徴とする。
【００２０】
このような映像表示システムの制御方法によれば、第１の映像表示装置の出力映像と第２の映像表示装置の出力映像との同期をとることが可能になる。さらに、シャッターメガネとの同期をとることができ、クロストークの発生を低減することができる。
【００２１】
［適用例８］本適用例に係る映像表示装置は、映像供給装置から供給される映像情報に基づいて、左眼用の画像と右眼用の画像とを時分割で表示する映像表示装置であって、第１の映像表示装置として動作するマスター状態、第２の映像表示装置として動作するスレーブ状態、および通常状態のいずれかに切り替える状態切替部と、所定の操作を受け付ける操作受付部と、他の映像表示装置を前記スレーブ状態に切り替えさせるためのスレーブ切替信号を送信するスレーブ切替信号送信部と、前記スレーブ切替信号を受信する第３信号受信部と、前記操作受付部が前記所定の操作を受け付けると、前記状態切替部に前記マスター状態に切り替えさせて、前記スレーブ切替信号送信部に前記スレーブ切替信号を送信させ、前記第３信号受信部が前記スレーブ切替信号を受信すると、前記状態切替部に前記スレーブ状態に切り替えさせる制御部と、前記左眼用の画像と右眼用の画像との切り替えに同期するための同期用制御信号を生成する同期信号生成部と、前記マスター状態の場合に前記同期用制御信号を送信する同期信号送信部と、前記スレーブ状態の場合に前記同期用制御信号を受信する第１信号受信部と、前記第１信号受信部が受信した前記同期用制御信号に基づいて、供給される前記映像情報の前記左眼用の画像と右眼用の画像との表示の切り替えを、前記第１の映像表示装置と同期させる映像同期部と、を有することを特徴とする。
【００２２】
このような映像表示装置によれば、他の映像表示装置と出力映像の同期をとることが可能になり、クロストークの発生を低減することができる。
【００２３】
［適用例９］本適用例に係る映像表示装置は、映像供給装置から供給される映像情報に基づいて、左眼用の画像と右眼用の画像とを時分割で表示する映像表示装置であって、前記左眼用の画像と右眼用の画像との切り替えに同期するための同期用制御信号を生成する同期信号生成部と、前記同期用制御信号を、当該映像表示装置以外の映像表示装置に送信する同期信号送信部と、を有することを特徴とする。
【００２４】
［適用例１０］本適用例に係る映像表示装置は、映像供給装置から供給される映像情報に基づいて、左眼用の画像と右眼用の画像とを時分割で表示する映像表示装置であって、前記左眼用の画像と右眼用の画像との切り替えに同期するための同期用制御信号を、当該映像表示装置以外の映像表示装置から受信する信号受信部と、前記信号受信部が受信した前記同期用制御信号に基づいて、供給される前記映像情報の前記左眼用の画像と右眼用の画像との表示の切り替えを行う映像同期部と、を有することを特徴とする。
【図面の簡単な説明】
【００２５】
【図１】実施形態に係る映像表示システムの概略構成を示す説明図。
【図２】映像表示システムにおけるプロジェクターの内部構成を主に示すブロック図。
【図３】液晶シャッターメガネの内部構成を示すブロック図。
【図４】映像表示システムのプロジェクターの状態遷移図。
【図５】マスター状態のプロジェクター、スレーブ状態のプロジェクター、および液晶シャッターメガネの同期信号および制御信号を表す波形図。
【図６】プロジェクターの通常状態における処理のフローチャート。
【図７】プロジェクターのマスター状態における処理のフローチャート。
【図８】プロジェクターのスレーブ状態における処理のフローチャート。
【発明を実施するための形態】
【００２６】
以下、実施形態として、光源から射出された光を映像信号に基づいて変調して光学像を形成し、この光学像を外部のスクリーン等に投写する映像表示装置としての複数のプロジェクターと、映像供給装置としてのビデオ再生装置と、シャッターメガネとしての液晶シャッターメガネとを有する映像表示システムに適用した場合について説明する。
【００２７】
（実施形態）
図１は、本実施形態に係る映像表示システムの概略構成を示す説明図である。
図１に示すように、本実施形態の映像表示システム１は、プロジェクター１００と、プロジェクター２００と、ビデオ再生装置３００と、液晶シャッターメガネ４００と、スクリーンＳとが表されている。
【００２８】
プロジェクター１００は、投写レンズ１３と赤外線送受信部５０とを有している。投写レンズ１３から投写された投写画像は、スクリーンＳに投写される。赤外線送受信部５０は、左眼用の画像と右眼用の画像との切り替えに同期するための赤外線の同期用制御信号を送受信する。ここで、プロジェクター１００及び２００から投写される光は一点鎖線で表しており、赤外線信号は破線で表している。同様に、プロジェクター２００は、投写レンズ２１３と赤外線送受信部２５０とを有している。ここで、プロジェクター１００およびプロジェクター２００は、スクリーンＳ上の同一の投写領域に重畳させて投写画像を表示、即ちスタック投写させるように設置されている。
【００２９】
ビデオ再生装置３００は３Ｄ映像信号を出力する映像出力機器である。ビデオ再生装置３００は、映像ケーブルＣ１を介してプロジェクター１００と接続されている。また、ビデオ再生装置３００は、映像ケーブルＣ２を介してプロジェクター２００と接続されている。ビデオ再生装置３００は、映像ケーブルＣ１と映像ケーブルＣ２を介して、プロジェクター１００およびプロジェクター２００に同一の映像信号を出力する。本実施形態では、映像ケーブルＣ１，Ｃ２は、ＨＤＭＩ（High−Definition Multimedia Interface）ケーブルとする。なお、映像ケーブルの種類は他の種別のケーブルとしてもよい。また、ビデオ再生装置３００は、３Ｄ映像信号を、無線によってプロジェクター１００およびプロジェクター２００に供給してもよい。
【００３０】
液晶シャッターメガネ４００は、プロジェクター１００およびプロジェクター２００が投写する画像を鑑賞する鑑賞者に装着されるものであり、鑑賞者の左眼に対峙する左眼用の液晶シャッター４４Ｌと、右眼に対峙する右眼用の液晶シャッター４４Ｒとを備えている。また、液晶シャッターメガネ４００の前面には、プロジェクター１００から送信される赤外線の同期用制御信号を受信するための赤外線受信部（図１では図示せず）が設けられており、プロジェクター１００から送信された同期用制御信号は、スクリーンＳで反射して液晶シャッターメガネ４００に受信される。液晶シャッターメガネ４００は、左眼用の画像が鑑賞者の左眼のみで認識され、右眼用の画像が鑑賞者の右眼のみで認識されるよう、受信した同期用制御信号に基づいたタイミングで左右の液晶シャッター４４Ｌ，４４Ｒを交互に開放させる。
【００３１】
図２は、本実施形態に係る映像表示システム１におけるプロジェクター１００の内部構成を主に示すブロック図である。
図２に示すように、映像表示システム１は、プロジェクター１００と、プロジェクター２００と、ビデオ再生装置３００と、液晶シャッターメガネ４００と、スクリーンＳとを備えて構成されている。
【００３２】
プロジェクター１００は、映像投写部１０、制御部２０、操作受付部２１、映像信号入力部３１、映像処理部３２、赤外線送受信部５０等を備えて構成されている。
【００３３】
映像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。映像投写部１０は、光源１１から射出された光を、液晶ライトバルブ１２Ｒ，１２Ｇ，１２Ｂで変調して画像光を形成し、この画像光を投写レンズ１３から投写してスクリーンＳ等に表示する。
【００３４】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色Ｒ、緑色Ｇ、青色Ｂの各色光成分に分離された後、それぞれ液晶ライトバルブ１２Ｒ，１２Ｇ，１２Ｂに入射する。
【００３５】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。ライトバルブ駆動部１４が、入力される画像データに応じた駆動電圧を各画素に印加すると、各画素は、画像データに応じた光透過率に設定される。このため、光源１１から射出された光は、この液晶ライトバルブ１２Ｒ，１２Ｇ，１２Ｂを透過することによって変調され、画像データに応じた画像が色光毎に形成される。形成された各色の画像は、図示しない色合成光学系によって画素毎に合成されてカラー画像となった後、投写レンズ１３から投写される。
【００３６】
制御部２０は、ＣＰＵ（Central Processing Unit）、各種データの一時記憶等に用いられるＲＡＭ、および、マスクＲＯＭやフラッシュメモリー、ＦｅＲＡＭ（Ferroelectric RAM：強誘電体メモリー）等の不揮発性のメモリー等（いずれも図示せず）を備え、コンピューターとして機能するものである。制御部２０は、ＣＰＵが不揮発性のメモリーに記憶されている制御プログラムに従って動作することにより、プロジェクター１００の動作を統括制御する。
【００３７】
制御部２０は、コマンド生成部２０ａおよびコマンド判定部２０ｂを有している。コマンド生成部２０ａは、プロジェクター１００がプロジェクター２００および液晶シャッターメガネ４００と同期をとるための同期用制御信号としての同期用制御コマンドや液晶シャッター開閉制御コマンド等を、映像処理部３２から入力した垂直同期信号に基づいて生成し、赤外線送信部５０ａから送信させる。このときの制御部２０が同期信号生成部に相当し、赤外線送信部５０ａが同期信号送信部に相当する。コマンドを送信するタイミングは、制御部２０に内蔵するタイマー（図示せず）を用いて算出する。コマンド判定部２０ｂは、他のプロジェクターやリモコン等から赤外線受信部５０ｂに入力された赤外線信号のコマンドを解析し、コマンドの種別を判定する。
【００３８】
操作受付部２１は、ユーザーからの入力操作を受け付けるものであり、ユーザーがプロジェクター１００に対して各種指示を行うための複数の操作キーを備えている。操作受付部２１が備える操作キーとしては、電源のオン・オフを切り替えるための電源キー、各種設定を行うためのメニュー画面の表示・非表示を切り替えるメニューキー、メニュー画面におけるカーソルの移動等に用いられるカーソルキー、各種設定を決定するための決定キー、プロジェクター１００とプロジェクター２００と液晶シャッターメガネ４００とを同期させるための同期キー等がある。ユーザーが操作受付部２１の各種操作キーを操作（押下）すると、操作受付部２１は、この入力操作を受け付けて、ユーザーの操作内容に応じた操作信号を制御部２０に出力する。
【００３９】
映像信号入力部３１には、ビデオ再生装置３００と映像ケーブルＣ１を介した接続を行うための入力端子（図示せず）が備えられており、ビデオ再生装置３００から映像信号が入力される。映像信号入力部３１は、入力される映像信号を、映像処理部３２で処理可能な形式の映像情報に変換して、映像処理部３２に出力する。
【００４０】
映像処理部３２は、映像信号入力部３１から入力される映像情報を、液晶ライトバルブ１２Ｒ，１２Ｇ，１２Ｂの各画素の階調を表す画像データに変換する。ここで、変換された画像データは、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。また、映像処理部３２は、制御部２０の指示に基づき、変換した画像データに対して、明るさ、コントラスト、シャープネス、色合い等を調整するための画質調整処理等を行い、処理後の画像データをライトバルブ駆動部１４に出力する。
【００４１】
プロジェクター１００が後述するマスター状態の場合、映像処理部３２は、入力されている映像の垂直同期信号を制御部２０に出力し、同期制御コマンドを後述するスレーブ状態のプロジェクターに送信する。また、プロジェクター１００がスレーブ状態の場合、映像処理部３２は、制御部２０が同期用制御信号である同期制御コマンドを受信したタイミングから所定の時間経過後に、内蔵する映像処理回路の基準同期信号を生成し、マスター状態のプロジェクターと出力映像を同期させる。このときの制御部２０および映像処理部３２が、映像同期部に相当する。
【００４２】
ライトバルブ駆動部１４が、映像処理部３２から入力される画像データに従って液晶ライトバルブ１２Ｒ，１２Ｇ，１２Ｂを駆動すると、液晶ライトバルブ１２Ｒ，１２Ｇ，１２Ｂは、画像データに応じた画像を形成し、この画像が投写レンズ１３から投写される。
【００４３】
赤外線送受信部５０は、赤外線送信部５０ａおよび赤外線受信部５０ｂを有している。赤外線送信部５０ａは、赤外線通信用のエンコーダーや赤外線発光装置（いずれも図示せず）等で構成され、制御部２０のコマンド生成部２０ａから入力されるコマンドをエンコーダーで変調し、赤外線発光装置により赤外線の点滅信号として外部に送信する。赤外線受信部５０ｂは、赤外線受信モジュール等を有して構成され、他のプロジェクター（プロジェクター２００）やリモコン（図示せず）等から発せられた赤外線信号を受信し、制御部２０のコマンド判定部２０ｂに通知する。プロジェクター１００がスレーブ状態になっている際の赤外線受信部５０ｂが、第１信号受信部に相当する。また、リモコンから発せられた赤外線信号を受信する際の赤外線受信部５０ｂが、リモコン信号受信部に相当する。
【００４４】
プロジェクター２００は、プロジェクター１００と同様な構成とする。よって、説明は省略する。なお、本実施形態では、プロジェクター２００は、プロジェクター１００から同期用制御コマンドを受信して、外部同期状態（「スレーブ状態」という）として動作するため、赤外線信号は送信しない。
【００４５】
ビデオ再生装置３００は、左眼用および右眼用を含む３Ｄ映像信号をプロジェクター１００およびプロジェクター２００に供給する。
【００４６】
図３は、液晶シャッターメガネ４００の内部構成を示すブロック図である。
図３に示すように、液晶シャッターメガネ４００は、上述した液晶シャッター４４Ｌ，４４Ｒに加えて、赤外線受信部４１０と、制御部４２０と、シャッター駆動部４３０とを有している。赤外線受信部４１０は、フォトセンサー等によって構成され、プロジェクター１００から送信される赤外線の同期用制御コマンド（信号）を受信（受光）して電気信号に変換する。赤外線受信部４１０が第２信号受信部に相当する。
【００４７】
制御部４２０は、受信した液晶シャッター開閉制御コマンドに基づいて、液晶シャッター４４Ｌ，４４Ｒの開閉を制御するための制御信号を生成し、シャッター駆動部４３０に出力する。シャッター駆動部４３０は、入力される制御信号に基づいて液晶シャッター４４Ｌ，４４Ｒの開閉（入射する光の透過及び遮断）を駆動する。
【００４８】
液晶シャッター４４Ｌ，４４Ｒは、それぞれ液晶パネルの表裏両側に偏光板が貼り付けられた構成を有している。左眼用の液晶シャッター４４Ｌは、シャッター駆動部４３０の駆動により、左眼に入射する光を透過させる開放状態と、左眼に入射する光を遮断する遮断状態とを切り替える。右眼用の液晶シャッター４４Ｒは、シャッター駆動部４３０の駆動により、右眼に入射する光を透過させる開放状態と、右眼に入射する光を遮断する遮断状態とを切り替える。
【００４９】
映像表示システム１は、上記のように構成されているため、プロジェクター１００が、左眼用の画像の投写と右眼用の画像の投写とを切り替え、液晶シャッターメガネ４００が、プロジェクター１００から送信される液晶シャッター開閉制御コマンドに基づいて、開放する液晶シャッター４４Ｌ，４４Ｒを切り替えることにより、左眼用の画像を左眼のみに認識させ、右眼用の画像を右眼のみに認識させることができる。
【００５０】
次に、映像表示システム１のプロジェクター１００の状態遷移について、状態遷移図を用いて説明する。図４は、本実施形態に係る映像表示システム１のプロジェクター１００の状態遷移図である。
【００５１】
図４に示すように、プロジェクター１００は、通常状態ＳＴ１０、マスター状態ＳＴ１１、およびスレーブ状態ＳＴ１２に遷移可能となっている。これらの状態を切り替える制御部２０が、状態切替部に相当する。
【００５２】
プロジェクター１００は、操作受付部２１に備わる電源キーが押下されると、通常状態ＳＴ１０となる。通常状態ＳＴ１０は、プロジェクター１００が、光源１１を点灯し、入力された映像信号に基づく映像を投写している状態である。通常状態ＳＴ１０では、プロジェクター１００は、液晶シャッターメガネ４００との同期を行っているが、プロジェクター２００との同期は行っていない。
【００５３】
通常状態ＳＴ１０において、操作受付部２１に備わる同期キーが押下されると、プロジェクター１００は、マスター状態ＳＴ１１に遷移する。この同期キーの押下が、所定の操作に相当する。また、通常状態ＳＴ１０において、他のプロジェクター（プロジェクター２００）から、ＳＬＡＶＥ−ＥＮＴＥＲコマンドを受信すると、プロジェクター１００は、スレーブ状態ＳＴ１２に遷移する。
【００５４】
マスター状態ＳＴ１１は、プロジェクター１００がマスターとなり、赤外線の同期用制御信号を用いて、プロジェクター２００をスレーブとして制御し、液晶シャッターメガネ４００の液晶シャッターの開閉も制御している状態である。このとき、プロジェクター１００に入力されている映像信号の垂直同期信号に基づいて、プロジェクター２００および液晶シャッターメガネ４００は同期を行う。ここで、同期とは、プロジェクター１００およびプロジェクター２００が出力する出力映像が同期していること、即ち右眼用の画像フレームと左眼用の画像フレームとが同期していることを示す。さらに、プロジェクター１００の出力映像と、液晶シャッターメガネ４００の右眼用の液晶シャッター４４Ｒおよび左眼用の液晶シャッター４４Ｌの開閉が同期していることを示す。
【００５５】
マスター状態ＳＴ１１において、操作受付部２１に備わる同期キーが押下されると、プロジェクター１００は、通常状態ＳＴ１０に遷移する。
【００５６】
スレーブ状態ＳＴ１２は、プロジェクター１００がスレーブとなり、マスターであるプロジェクター２００によって制御されている状態である。このとき、プロジェクター１００および液晶シャッターメガネ４００は、マスターであるプロジェクター２００に入力されている映像信号の垂直同期信号に基づいて、同期を行う。
【００５７】
スレーブ状態ＳＴ１２において、ＳＬＡＶＥ−ＥＸＩＴコマンドが受信されると、プロジェクター１００は、通常状態ＳＴ１０に遷移する。
【００５８】
ここで、映像表示システム１のプロジェクター１００、プロジェクター２００および液晶シャッターメガネ４００の同期について説明する。
図５は、マスター状態ＳＴ１１のプロジェクター１００、スレーブ状態ＳＴ１２のプロジェクター２００、および液晶シャッターメガネ４００の同期信号および制御信号を表す波形図である。
【００５９】
図５の波形図では、マスター状態ＳＴ１１のプロジェクター１００が入力している映像信号の垂直同期信号ＶＳｙｎｃ１、マスター状態ＳＴ１１のプロジェクター１００が送信する制御信号ＣＬＳ、および、スレーブ状態ＳＴ１２のプロジェクター２００が生成する基準同期信号ＶＳｙｎｃ２が表されている。なお、図５では、横軸は時間軸としている。
【００６０】
制御信号ＣＬＳとして出力する制御信号（同期用制御信号）のコマンド種別としては、スレーブ状態ＳＴ１２のプロジェクター２００に、右眼用の画像と左眼用の画像の垂直同期信号を同期させるための「Ｌ−ＳＹＮＣ」および「Ｒ−ＳＹＮＣ」コマンドがある。さらに、ここでは図示しないが、他のプロジェクター（プロジェクター２００）を通常状態ＳＴ１０からスレーブ状態ＳＴ１２に遷移させるための「ＳＬＡＶＥ−ＥＮＴＥＲ」コマンド、および、他のプロジェクター（プロジェクター２００）をスレーブ状態ＳＴ１２から通常状態ＳＴ１０に遷移させるための「ＳＬＡＶＥ−ＥＸＩＴ」コマンドがある。また、液晶シャッターメガネ４００の右眼用の液晶シャッター４４Ｒに右眼に入射する光を透過させるための「Ｒ−ＯＰＥＮ」コマンド、右眼用の液晶シャッター４４Ｒに右眼に入射する光を遮断させるための「Ｒ−ＣＬＯＳＥ」コマンド、左眼用の液晶シャッター４４Ｌに左眼に入射する光を透過させるための「Ｌ−ＯＰＥＮ」コマンド、左眼用の液晶シャッター４４Ｌに左眼に入射する光を遮断させるための「Ｌ−ＣＬＯＳＥ」コマンド等がある。
【００６１】
マスター状態ＳＴ１１のプロジェクター１００に入力される映像信号の垂直同期信号ＶＳｙｎｃ１は、右眼用画像の１フレーム、および左眼用画像の１フレームに対応するように、時間ｔ０毎に出力される。映像信号の垂直同期周波数は、例えば、２４０Ｈｚとする。マスター状態ＳＴ１１のプロジェクター１００は、右眼用画像のＶＳｙｎｃ１の信号を出力した後、時間ｔ１後に、スレーブ状態ＳＴ１２のプロジェクター２００に対して、次の垂直同期信号を同期させるためのＬ−ＳＹＮＣコマンドを出力する。さらに、マスター状態ＳＴ１１のプロジェクター１００は、液晶シャッターメガネ４００に対して、Ｌ−ＳＹＮＣコマンドの出力からｔ２時間後に、Ｒ−ＯＰＥＮコマンドを送信する。さらに、マスター状態ＳＴ１１のプロジェクター１００は、Ｒ−ＯＰＥＮコマンドの送信からｔ３時間後に、Ｒ−ＣＬＯＳＥコマンドを送信する。
【００６２】
さらに、マスター状態ＳＴ１１のプロジェクター１００は、左眼用画像のＶＳｙｎｃ１の信号を出力した後、時間ｔ１後に、スレーブ状態ＳＴ１２のプロジェクター２００に対して、次の垂直同期信号を同期させるためのＲ−ＳＹＮＣコマンドを出力する。さらに、マスター状態ＳＴ１１のプロジェクター１００は、液晶シャッターメガネ４００に対して、Ｒ−ＳＹＮＣコマンドの出力からｔ２時間後に、Ｌ−ＯＰＥＮコマンドを送信する。さらに、マスター状態ＳＴ１１のプロジェクター１００は、Ｌ−ＯＰＥＮコマンドの送信からｔ３時間後に、Ｌ−ＣＬＯＳＥコマンドを送信する。
【００６３】
スレーブ状態ＳＴ１２のプロジェクター２００は、Ｌ−ＳＹＮＣコマンドを受信した後、ｔ４時間後に内部の映像処理回路の基準同期信号ＶＳｙｎｃ２を生成して、左眼用画像を出力する。また、Ｒ−ＳＹＮＣコマンドを受信した後、ｔ４時間後に映像処理回路の基準同期信号ＶＳｙｎｃ２を生成して、右眼用画像を出力する。
【００６４】
上述したように、マスター状態ＳＴ１１のプロジェクター１００とスレーブ状態ＳＴ１２のプロジェクター２００と液晶シャッターメガネ４００とは、時分割で同期をとることが可能である。
【００６５】
次に、プロジェクター１００の各状態における処理について説明する。
図６は、プロジェクター１００の通常状態ＳＴ１０における処理のフローチャートである。
【００６６】
通常状態ＳＴ１０において、制御部２０は、操作受付部２１に備わる同期キーが押下されたか否かを判断する（ステップＳ１０１）。同期キーが押下されていれば（ステップＳ１０１：ＹＥＳ）、制御部２０のコマンド生成部２０ａは、ＳＬＡＶＥ−ＥＮＴＥＲコマンドを生成して、赤外線送信部５０ａから送信させる（ステップＳ１０２）。ＳＬＡＶＥ−ＥＮＴＥＲコマンドが、スレーブ切替信号に相当し、このときの赤外線送信部５０ａが、スレーブ切替信号送信部に相当する。そして、制御部２０は、プロジェクター１００をマスター状態ＳＴ１１に遷移させる（ステップＳ１０３）。そして、通常状態ＳＴ１０における処理を終了する。
【００６７】
同期キーが押下されていなければ（ステップＳ１０１：ＮＯ）、制御部２０は、ＳＬＡＶＥ−ＥＮＴＥＲコマンドを受信したか否かを判定する（ステップＳ１０４）。ＳＬＡＶＥ−ＥＮＴＥＲコマンドを受信していれば（ステップＳ１０４：ＹＥＳ）、制御部２０は、赤外線送信部５０ａからの赤外線送信を禁止する（ステップＳ１０５）。このＳＬＡＶＥ−ＥＮＴＥＲコマンドを受信する際の赤外線受信部５０ｂが、第３信号受信部に相当する。そして、制御部２０は、プロジェクター１００をスレーブ状態ＳＴ１２に遷移させる（ステップＳ１０６）。そして、通常状態ＳＴ１０における処理を終了する。
【００６８】
ＳＬＡＶＥ−ＥＮＴＥＲコマンドを受信していなければ（ステップＳ１０４：ＮＯ）、ステップＳ１０１に移行して、同期キーおよびＳＬＡＶＥ−ＥＮＴＥＲコマンドを待つ。なお、ここでは図示しないが、同期キー以外の操作キー等が押下された場合には、制御部２０は、当該操作キーに対応した処理を行ってもよい。
【００６９】
図７は、プロジェクター１００のマスター状態ＳＴ１１における処理のフローチャートである。
【００７０】
マスター状態ＳＴ１１では、プロジェクター１００は、図５で示したように、スレーブ状態ＳＴ１２のプロジェクター２００や、液晶シャッターメガネ４００に対して制御信号（同期用制御信号）を送信しているが、当フローチャートでは記載を省略する。
【００７１】
マスター状態ＳＴ１１において、制御部２０は、操作受付部２１に備わる同期キーが押下されたか否かを判断する（ステップＳ２０１）。同期キーが押下されていれば（ステップＳ２０１：ＹＥＳ）、制御部２０のコマンド生成部２０ａは、ＳＬＡＶＥ−ＥＸＩＴコマンドを生成して、赤外線送信部５０ａから送信させる（ステップＳ２０２）。そして、制御部２０は、プロジェクター１００を通常状態ＳＴ１０に遷移させる（ステップＳ２０３）。このとき、プロジェクター１００は、プロジェクター２００および液晶シャッターメガネ４００との同期を終了する。そして、マスター状態ＳＴ１１における処理を終了する。
【００７２】
同期キーが押下されていなければ（ステップＳ２０１：ＮＯ）、ステップＳ２０１に移行して、同期キーが押下されるのを待つ。なお、ここでは図示しないが、同期キー以外の操作キー等が押下された場合には、制御部２０は、当該操作キーに対応した処理を行ってもよい。
【００７３】
図８は、プロジェクター１００のスレーブ状態ＳＴ１２における処理のフローチャートである。
【００７４】
スレーブ状態ＳＴ１２では、プロジェクター１００は、図５で示したように、マスター状態ＳＴ１１のプロジェクター２００からＬ−ＳＹＮＣコマンドやＲ−ＳＹＮＣコマンドを受信し、受信した同期用制御コマンドに応じて基準同期信号ＶＳｙｎｃ２を生成して、マスター状態ＳＴ１１のプロジェクター２００と同期する処理を行っているが、当フローチャートでは記載を省略する。
【００７５】
スレーブ状態ＳＴ１２において、制御部２０は、ＳＬＡＶＥ−ＥＸＩＴコマンドを受信したか否かを判断する（ステップＳ３０１）。ＳＬＡＶＥ−ＥＸＩＴコマンドが受信されていれば（ステップＳ３０１：ＹＥＳ）、制御部２０は、赤外線送信部５０ａからの赤外線送信を許可する（ステップＳ３０２）。そして、制御部２０は、プロジェクター１００を通常状態ＳＴ１０に遷移させる（ステップＳ３０３）。このとき、プロジェクター１００は、プロジェクター２００との同期を終了する。そして、スレーブ状態ＳＴ１２における処理を終了する。
【００７６】
ＳＬＡＶＥ−ＥＸＩＴコマンドが受信されていなければ（ステップＳ３０１：ＮＯ）、ステップＳ３０１に移行して、ＳＬＡＶＥ−ＥＸＩＴコマンドが受信されるのを待つ。なお、ここでは図示しないが、ＳＬＡＶＥ−ＥＸＩＴコマンド以外のコマンドを受信したり、操作キー等が押下されたりした場合には、制御部２０は、当該コマンドや操作キーに対応した処理を行ってもよい。なお、同期キーが押下された場合は、無効として処理を行わない。つまり、スレーブ状態ＳＴ１２では、同期キーが押下されてもマスター状態ＳＴ１１には切り替えない。
【００７７】
上述した実施形態によれば、以下の効果が得られる。
（１）映像表示システム１は、プロジェクター１００とプロジェクター２００と液晶シャッターメガネ４００とを備えている。プロジェクター１００がマスター状態ＳＴ１１になった場合、プロジェクター１００から送信する制御コマンド（ＳＬＡＶＥ−ＥＮＴＥＲ）によって、プロジェクター２００はスレーブ状態ＳＴ１２になる。そして、プロジェクター１００からプロジェクター２００に同期用制御コマンド（Ｌ−ＳＹＮＣ，Ｒ−ＳＹＮＣ）を送信することで、出力する左眼用画像と右眼用画像とを同期させる。また、マスター状態ＳＴ１１となったプロジェクター１００は、液晶シャッターメガネ４００に液晶シャッター開閉制御コマンド（Ｒ−ＯＰＥＮ，Ｒ−ＣＬＯＳＥ，Ｌ−ＯＰＥＮ，Ｌ−ＣＬＯＳＥ）を送信することで、左眼用の液晶シャッター４４Ｌおよび右眼用の液晶シャッター４４Ｒの開閉を制御し、出力映像と同期させる。これにより、プロジェクター１００およびプロジェクター２００の出力映像の同期をとることが可能になり、さらに、液晶シャッターメガネ４００との同期をとることが可能になるため、クロストークの発生を低減することができる。つまり、３Ｄ映像の破綻を回避することができる。そして、プロジェクター１００およびプロジェクター２００をスタック投写することが可能になり、鑑賞者は、高輝度な３Ｄ映像を鑑賞することができる。
【００７８】
（２）映像表示システム１では、プロジェクター１００は、同期キーが押下されればマスター状態ＳＴ１１となり、ＳＬＡＶＥ−ＥＮＴＥＲコマンドを送信してプロジェクター２００をスレーブ状態ＳＴ１２にさせる。また、プロジェクター２００が、同期キーを押下されればマスター状態ＳＴ１１となり、ＳＬＡＶＥ−ＥＮＴＥＲコマンドを送信してプロジェクター１００をスレーブ状態ＳＴ１２にさせる。これにより、プロジェクター１００およびプロジェクター２００は、マスター状態ＳＴ１１にもスレーブ状態ＳＴ１２にも切り替わることができる。また、１つのプロジェクターがマスター状態ＳＴ１１に指定された場合には、他のプロジェクターをスレーブ状態ＳＴ１２にすることができるので、利便性が高い。
【００７９】
（３）映像表示システム１では、プロジェクターがスレーブ状態ＳＴ１２に切り替えられている場合には、操作受付部２１に備わる同期キーが押下されてもマスター状態ＳＴ１１に切り替わらない。これにより、複数のプロジェクターがマスター状態ＳＴ１１になってしまうことを避けることができる。よって、クロストークの発生を低減することができる。
【００８０】
（４）映像表示システム１のプロジェクター１００，２００では、赤外線受信部５０ｂは、リモコン信号の受信部と兼用されている。つまり、同期のためのケーブル等が不要になる。これにより、プロジェクター１００，２００の構成を簡易化し、コストを低減することができる。
【００８１】
（５）映像表示システム１のプロジェクター１００、プロジェクター２００、および液晶シャッターメガネ４００の間では、赤外線によって通信が行われる。これにより、リモコン信号として一般的に使用されている赤外線によって通信を行うため、映像表示システム１を簡易にすることができる。
【００８２】
なお、上述した実施形態に限定されず、種々の変更や改良等を加えて実施することが可能である。変形例を以下に述べる。
【００８３】
（変形例１）上記実施形態では、マスター状態ＳＴ１１のプロジェクター１００は、スレーブ状態ＳＴ１２のプロジェクター２００に対して出力映像を同期させるために、Ｌ−ＳＹＮＣおよびＲ−ＳＹＮＣコマンドを送信するものとした。しかし、スレーブ状態ＳＴ１２のプロジェクター２００は、液晶シャッターメガネ４００に対して送信されたＲ−ＯＰＥＮまたはＲ−ＣＬＯＳＥコマンド、および、Ｌ−ＯＰＥＮまたはＬ−ＣＬＯＳＥコマンドを受信し、受信した時点から所定の時間経過後に基準同期信号ＶＳｙｎｃ２を発生させることで、マスター状態ＳＴ１１のプロジェクター１００との出力映像の同期を行ってもよい。こうすれば、スレーブ状態ＳＴ１２のプロジェクター２００のために同期用のコマンド（Ｌ−ＳＹＮＣおよびＲ−ＳＹＮＣ）を送信する必要がなくなる。よって、コマンド数を減らして、簡易な通信の構成とすることができる。
【００８４】
（変形例２）上記実施形態では、マスター状態ＳＴ１１のプロジェクターを１つとし、スレーブ状態ＳＴ１２のプロジェクターも１つとしたが、マスター状態ＳＴ１１のプロジェクターを１つとし、スレーブ状態ＳＴ１２のプロジェクターを複数としてもよい。
【００８５】
（変形例３）上記実施形態では、主にプロジェクター１００をマスター状態ＳＴ１１とし、プロジェクター２００をスレーブ状態ＳＴ１２として記載したが、プロジェクター２００をマスター状態ＳＴ１１とし、プロジェクター１００をスレーブ状態ＳＴ１２としてもよい。
【００８６】
（変形例４）上記実施形態では、映像表示装置として、プロジェクター１００，２００を用いているが、映像表示装置はプロジェクター１００，２００に限定されず、各種映像表示装置を利用するようにしてもよい。こうすれば、複数の映像表示装置の出力映像を同期させることが可能となり、鑑賞者は、液晶シャッターメガネ４００を用いて、いずれの映像表示装置の出力映像も破綻のない３Ｄ映像として鑑賞することができる。
【００８７】
（変形例５）上記実施形態では、映像供給装置として、ビデオ再生装置３００を用いているが、映像供給装置はビデオ再生装置３００に限定されず、例えば、パーソナルコンピューターや各種映像再生装置等を利用するようにしてもよい。
【００８８】
（変形例６）上記実施形態では、プロジェクター１００の赤外線送受信部５０と、プロジェクター２００の赤外線送受信部２５０と、液晶シャッターメガネ４００の赤外線受信部４１０との間で、赤外線の同期信号および制御信号を送受信する態様を示したが、同期信号および制御信号は、赤外線に限定されない。例えば、赤外線以外の光通信を利用するようにしてもよい。
【００８９】
（変形例７）上記実施形態のプロジェクター１００では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００９０】
１…映像表示システム、１０…映像投写部、１１…光源、１１ａ…光源ランプ、１１ｂ…リフレクター、１２Ｒ，１２Ｇ，１２Ｂ…液晶ライトバルブ、１３…投写レンズ、１４…ライトバルブ駆動部、２０…制御部（同期信号生成部、映像同期部、状態切替部）、２０ａ…コマンド生成部、２０ｂ…コマンド判定部、２１…操作受付部、３１…映像信号入力部、３２…映像処理部（映像同期部）、４４Ｌ…左眼用の液晶シャッター、４４Ｒ…右眼用の液晶シャッター、５０…赤外線送受信部、５０ａ…赤外線送信部（同期信号送信部、スレーブ切替信号送信部、第３信号受信部）、５０ｂ…赤外線受信部（第１信号受信部、リモコン信号受信部）、１００，２００…プロジェクター、２１３…投写レンズ、２５０…赤外線送受信部、３００…ビデオ再生装置、４００…液晶シャッターメガネ、４１０…赤外線受信部（第２信号受信部）、４２０…制御部、４３０…シャッター駆動部、Ｃ１…映像ケーブル、Ｃ２…映像ケーブル、Ｓ…スクリーン。
【図１】
2013012877.tif 000003
【図２】
2013012877.tif 000004
【図３】
2013012877.tif 000005
【図４】
2013012877.tif 000006
【図５】
2013012877.tif 000007
【図６】
2013012877.tif 000008
【図７】
2013012877.tif 000009
【図８】
2013012877.tif 000010